(57)【要約】【課題】  便器に対して、内部に人体局部洗浄機構を有する本体部を組み付ける際に、従来よりも部品点数を増加させることなく、組み付け性の良い温水洗浄便座装置を提供する。【解決手段】  便器２に対して固定される固定プレート３０に対して、内部に人体局部洗浄機構２１を有する本体部２０を組み付ける際、固定プレート３０に対して着脱自在となる本体プレート２６には、一方が本体プレート２６に支持され、他方が上方に変位する第１アーム２６ｂが設けられ、第１アーム２６ｂの第１自由端７１には固定プレート３０側に突出する第１突起部２６ｇを有するものとした。一方、固定プレート３０には第１固定ロックテーパ面３７Ｌを有し、第１固定ロックテーパ面３７Ｌによって第１突起部２６ｇを上下方向に変位させ、第１固定ロックテーパ面３７Ｌを乗り越えた位置で、固定プレート３０に対する本体部２０のロックが成される第１固定ロック部３５Ｌを設ける構成とした。【選択図】  図６
2013202175.tif 000002
【特許請求の範囲】
【請求項１】
便器に対して固定される固定プレートと、
内部に人体局部洗浄機構が配設される本体部を本体カバーと共に形成し、該本体部を前記固定プレートに対して着脱自在となる本体プレートと、
使用者が着座する着座面を有し、前記本体部に対して回動自在な便座とを備え、
一方が前記本体プレートに支持され、他方が上下方向に変位するアームが設けられ、
該アームの他方には前記固定プレート側に突出する突起部を有し、
前記本体部を前記固定プレートに取り付ける場合に、前記固定プレートには固定ロックテーパ面を有し、該固定ロックテーパ面によって前記突起部を上下方向に変位させ、該固定ロックテーパ面を乗り越えた位置で、前記固定プレートに対する前記本体部のロックが成される固定ロック部を備えた温水洗浄便座装置。
【請求項２】
前記アームは前記本体プレートに対して一対且つ一体的に形成される請求項１に記載の温水洗浄便座装置。
【請求項３】
前記本体部に設けられ、前記本体部を前記固定プレートからロックの離脱操作を行う操作レバーとを備え、
該操作レバーは、前記固定ロック部に対応する位置に少なくとも一カ所形成されたレバーテーパ面を有し、前記操作レバーの離脱操作によって、該レバーテーパ面にて前記突起部を上方へと変位させることによりロック解除を行う請求項１または請求項２に記載の温水洗浄便座装置。
【請求項４】
前記突起部は、前記レバーテーパ面に対向して設けられ、前記操作レバーの離脱操作時に前記突起部を上方へと変位させてロック解除するロック解除テーパ面を有する請求項３に記載の温水洗浄便座装置。
【請求項５】
前記突起部は、着座面に対して前後方向にロックテーパ面を有すると共に、前記ロックテーパ面に隣接して前記ロック解除テーパ面を有する請求項４に記載の温水洗浄便座装置。
【請求項６】
前記操作レバーは、操作方向に延在する第１直線部、第２直線部および第３直線部とを有し、前記第２直線部と前記第３直線部の終端に前記レバーテーパ面を有する請求項３乃至５に記載の温水洗浄便座装置。
【請求項７】
便器に対して固定される固定プレートと、
内部に人体局部洗浄機構が配設される本体部を本体カバーと共に形成し、該本体部を前記固定プレートに対して着脱自在となる本体プレートと、
使用者が着座する着座面を有し、前記本体部に対して回動自在な便座とを備え、
一方が前記本体プレートに支持され、他方が所定方向に変位するアームが設けられ、
該アームの他方には前記固定プレート側に嵌合部を有し、
前記本体部を前記固定プレートに取り付ける場合に、前記固定プレートには固定ロックテーパ面を有し、該固定ロックテーパ面によって前記嵌合部を所定方向に変位させ、該固定ロックテーパ面を乗り越えた位置で、前記固定プレートに対する前記本体部のロックが成される固定ロック部を備えた温水洗浄便座装置。
【発明の詳細な説明】
【技術分野】
【０００１】
本発明は、温水洗浄便座装置に関するものであり、特に、温水洗浄便座装置の着脱構造に係る。
【背景技術】
【０００２】
従来の温水洗浄便座装置は、便器に固定された固定プレートに着脱自在に温水洗浄機能を内部に有する本体部が固定され、固定プレートの端面に２箇所に凹部を設け、この凹部に操作レバーの２箇所のフックを引っ掛けて、本体部を固定プレートにロックするものが知られている（特許文献１参照）。
【先行技術文献】
【特許文献】
【０００３】
【特許文献１】特開２００３−２７５１４０号公報（図１）
【発明の概要】
【発明が解決しようとする課題】
【０００４】
しかしながら、特許文献１の温水洗浄便座装置は、便器に固定された固定プレートに対して、内部に人体局部洗浄機構が配設される本体部を組み付ける際に、操作レバー４とガイド４４との間に設けるベースプレート３に設けられるシャフトにスプリングを挿入してはめるため、取り付け操作を誤るとスプリングが飛んでしまい、組み付け性が良くない。
【０００５】
そこで、本発明は、上記問題点に鑑みて成されたものであり、便器に対して、内部に人体局部洗浄機構を有する本体部を組み付ける際、従来よりも部品点数を増加させることなく、組み付け性の良い温水洗浄便座装置を提供することを目的とする。
【課題を解決するための手段】
【０００６】
本発明の課題を解決する第１の課題解決手段は、便器に対して固定される固定プレートと、内部に人体局部洗浄機構が配設される本体部を本体カバーと共に形成し、該本体部を前記固定プレートに対して着脱自在となる本体プレートと、使用者が着座する着座面を有し、前記本体部に対して回動自在な便座とを備え、一方が前記本体プレートに支持され、他方が上下方向に変位するアームが設けられ、該アームの他方には前記固定プレート側に突出する突起部を有し、
前記本体部を前記固定プレートに取り付ける場合に、前記固定プレートには固定ロックテーパ面を有し、該固定ロックテーパ面によって前記突起部を上下方向に変位させ、該固定ロックテーパ面を乗り越えた位置で、前記固定プレートに対する前記本体部のロックが成される固定ロック部を備えた構成である。
【０００７】
上記構成において、前記アームは前記本体プレートに対して一対且つ一体的に形成される構成が好ましい。
【０００８】
また、前記本体部に設けられ、前記本体部を前記固定プレートからロックの離脱操作を行う操作レバーとを備え、該操作レバーは、前記固定ロック部に対応する位置に少なくとも一カ所形成されたレバーテーパ面を有し、前記操作レバーの離脱操作によって、該レバーテーパ面にて前記固定ロック部を上方へと変位させることによりロック解除を行う構成が好ましい。
【０００９】
また、前記突起部は、前記レバーテーパ面に対向して設けられ、前記操作レバーの離脱操作時に前記突起部を上方へと変位させてロック解除するロック解除テーパ面を有する構成が好ましい。
【００１０】
また、突起部は、着座面に対して前後方向に前記ロックテーパ面を有すると共に、ロックテーパ面に隣接して前記ロック解除テーパ面を有する構成が好ましい。
【００１１】
また、前記操作レバーは、操作方向に延在する第１直線部、第２直線部および第３直線部とを有し、前記第２直線部と前記第３直線部の終端に前記レバーテーパ面を有する構成が好ましい。
【００１２】
また、本発明の課題を解決する第２の課題解決手段は、便器に対して固定される固定プレートと、内部に人体局部洗浄機構が配設される本体部を本体カバーと共に形成し、該本体部を前記固定プレートに対して着脱自在となる本体プレートと、使用者が着座する着座面を有し、前記本体部に対して回動自在な便座とを備え、一方が前記本体プレートに支持され、他方が所定方向に変位するアームが設けられ、該アームの他方には前記固定プレート側に嵌合部を有し、前記本体部を前記固定プレートに取り付ける場合に、前記固定プレートには固定ロックテーパ面を有し、該固定ロックテーパ面によって前記嵌合部を所定方向に変位させ、該固定ロックテーパ面を乗り越えた位置で、前記固定プレートに対する前記本体部のロックが成される固定ロック部を備えた構成である。
【発明の効果】
【００１３】
本発明の温水洗浄便座装置では、本体プレートに設けられたアームの自由端には固定プレート側に突起部（または、嵌合部）があり、本体部を固定プレートに組み付ける場合に、固定プレートの固定ロックテーパ面によって突起部（または、嵌合部）を上方(または、所定方向)へと変位させ、固定ロックテーパ面の頂部を乗り越えた固定ロック部の位置で、固定プレートに対する本体部をロックすることができる。これは本体プレートと固定プレートの内部形状を工夫することでロック/アンロック機構を設けることができるので、従来のようなスプリングは不要となり部品点数を増加させることはない。また、これは簡易な構成で実現でき、組み付けも容易となる。
【００１４】
また、アームは本体プレートに対して一対且つ一体的に形成されるため、本体部と固定プレートとのロック時の固定は、アーム一対であるため固定プレートに対する本体プレートの傾きやガタツキを抑制することができる。
【００１５】
また、操作レバーは、固定ロック部に対応する位置に少なくとも一カ所形成されたレバーテーパ面を有し、操作レバーの離脱操作によって、レバーテーパ面にて固定ロック部を上方へと変位させることによりロック解除を行うため、使用者が操作レバーを押圧するだけでロック解除ができ、操作が容易である。
【００１６】
また、突起部は、レバーテーパ面に対向して設けられ、操作レバーの離脱操作時に突起部を上方へと変位させてロック解除するレバーテーパ面を有するため、本体部のロック解除操作が容易であり、ロック解除のための追加部品も不要で、部分点数も削減できる。
【００１７】
また、本体部の突起部は着座面に対して前後方向にロックテーパ面を有すると共に、ロックテーパ面に隣接してロック解除テーパ面を有するため、本体部の突起部の形状を工夫するだけで、本体部のアームがたわんでロック／アンロックを行うことができる。
【００１８】
また、操作レバーは、操作方向に延在する第１直線部、第２直線部および第３直線部とを有し、第２直線部と第３直線部の終端にレバーテーパ面を有するため、固定プレートと本体部の本体プレートが、操作レバーの操作方向およびその直角方向が異なる２箇所で支持されてロックされるため、ガタツキの無い安定したロックができる。
【図面の簡単な説明】
【００１９】
【図１】本発明の実施形態における温水洗浄便座装置を便器に適用した場合を示し、（ａ）は温水洗浄便座装置を便器に組み付ける前、（ｂ）は便器に組み付けた後の側面図である。
【図２】便器に固定される固定プレートの形状を示す上視図である。
【図３】本体部を着脱自在にする操作レバーの形状を示す上視図である。
【図４】本体部を構成する本体プレートの形状を示す上視図である。
【図５】図４の本体プレートに図３に示す操作レバーを組み付けた組み付け図である。
【図６】図５に示すＡ−Ａ断面における固定プレートに対して本体プレートを組み付ける場合の状態を説明する説明図である。
【図７】図５に示すＢ−Ｂ断面における固定プレートに対して本体プレートを組み付ける場合の状態を説明する説明図である。
【図８】本体プレートと固定プレートを裏面から見た下視図である。
【発明を実施するための形態】
【００２０】
以下、本発明の実施の形態について、図面を参照して詳細に説明する。
【００２１】
図１は、本発明の実施形態における温水洗浄便座装置１の本体部２０を便器２に組み付ける場合を示し、便器２に対して固定して設けられた固定プレート３０に、（ａ）は温水洗浄便座装置１を組み付ける前の側面図であり、（ｂ）は組み付けた後の側面図である。
【００２２】
図１において、洗浄水を貯水する貯水機能を後方（図１の左側とする）もつロータンク１１を備える腰掛式の便器２が示される。便器２のロータンク１１の前方には、内部に人体局部洗浄機構２１を収容する温水洗浄便座装置１の本体部２０が組み付けられる。温水洗浄便座装置１は、ベースとなる樹脂製の本体プレート２６と本体カバー２２で外形が形成される本体部２０と、使用者が使用時に腰掛ける着座面を有し、本体部２０に対してピン２４により軸支され、図１の（a）に示す上下方向に回動自在な樹脂製の便座２３および便座カバー２５とを備えている。
【００２３】
本体部２０の下方の本体プレート２６は、便器２の後方の組み付け部１２にネジ等で二箇所固定して設けられた固定プレート３０に対して着脱自在とするものである。本体部２０は、固定プレート３０に対して前方から後方（Ａ方向）へとスライドさせて図１の（ｂ）の状態（組み付け完了状態）へと組み付けることにより、本体部２０の本体プレート２６が固定プレート３０に設けられた後述するロック機構に対してロックまたはアンロックを可能とする構造を採用している。ここでいう後方とは、便器２においてロータンク１１が設けられる側と定義する。
【００２４】
なお、本体部２０の固定プレート３０への取り付けは、Ａ方向に限定されるものではなく、例えば、一例として上方あるいは幅方向から組み付ける構造であっても良いものとする。
【００２５】
図２は、固定プレート３０の上視図である。固定プレート３０は樹脂製であり、図２に示す中央前方に凹部３１を有する。凹部３１の左右両端には、幅方向（図２の左右方向）に延在し、本体部２０を組み付け時に本体プレート２６を一方向にガイドする前後方向（図２の上下方向）に延在したフランジ部３２Ｌ、３２Ｒが幅方向に設けられている。また、便器２に固定プレート３０を固定するため、前後方向に延在する左右１対のＴ字状を呈する取り付け孔３３Ｌ、３３Ｒが設けられている。凹部３１と取り付け孔３３Ｌ、凹部３１と取り付け孔３３Ｒとの間には、前後方向に離間し平行な状態で延在する同じ幅の第１溝部３４Ｌと第２溝部３４Ｒがそれぞれ設けられている。第１溝部３４Ｌと第２溝部３４Ｒは、それぞれ前方端が開口しており、２つの開口から本体部２０の組み付けが可能である。
【００２６】
第１溝部３４Ｌは、第１溝部３４Ｌの前方先端に、図８に示す本体プレート２６に形成された後述する第１突起部２６ｇ（第１嵌合部）が嵌着することでロックされる長方形の第１固定ロック部３５Ｌを第１溝部３４Ｌの後端に有すると共に、第１固定ロック部３５Ｌの前方手前には頂部３６Ｌを持ち、第１溝部３４Ｌの底面３８Ｌまで連続してなだらかに連なる第１固定ロックテーパ面３７Ｌとを備える。第１固定ロックテーパ面３７Ｌは前後方向での断面は直角三角形を呈し、第１溝部３４Ｌの溝深さはＬｌとなる。
【００２７】
一方、第２溝部３４Ｒは、図２に示すように、前後方向の中央よりも若干前方側に幅方向に延在する台形状の突出部３９が設けられている。突出部３９は、第２溝部３４Ｒの溝深さ（Ｌr）の半分の深さ（１／２Ｌr（＝Ｌｌ））で島状に設けられている。この突出部３９には、前後方向において中央位置に第２固定ロックテーパ面３７Ｒが設けられ、第２固定ロックテーパ面３７Ｒの後方には第１固定ロック部３５Ｌと溝深さが同じの台形状の第２固定ロック部３５Ｒが設けられている。
【００２８】
このような形状を成す固定プレート３０は、便器２の後部の組み付け部１２に対して、専用の取り付けネジを取り付け孔３３Ｌ、３３Ｒに挿入し、固定される。
【００２９】
図３は、本体部２０を固定プレート３０から着脱操作する操作レバー４０の形状を示す上視図である。操作レバー４０は樹脂製であり図３に示すように幾段ものクランク形状を呈し、使用者が本体部２０と固定プレート３０のロックを解除する際に押圧操作する操作部４１を端部に有する。操作レバー４０は、操作部４１から操作方向（図５に示すＸ方向）に延在する第１直線部４２ａと第２直線部４２ｂおよび第３直線部４２ｃとを有し、それらが平行に延在しており、第１直線部４２ａの終点４３ａと第２直線部４２ｂの始点４３ｂを直角でつなぐ位置に第４直線部４２ｄを有する。また、第２直線部４２ｂと第３直線部４２ｃとは第５直線部４２eにより直角でつながれている。
【００３０】
操作レバー４０は、本体プレート２６の所定位置に位置決めされ、Ｘ方向に変位可能となるが、所定位置に位置決めされた場所からの離脱が規制されるようになっている。操作レバー４０は、第１直線部４２aの側面および第３直線部４２ｃの側面に操作レバー４０の離脱を防止する凹部４６ａ、４６ｂを有する。
【００３１】
また、操作レバー４０は、第３直線部４２ｃの終端４３ｃの内側に長方形状の孔部４５ａが形成され、孔部４５ａの操作レバー側に第１レバーテーパ面４４ａが設けられている。同様に、第２直線部４２ｂの終端４３ｃの内側に長方形状の孔部４５ｂが形成され、孔部４５ｂの操作レバー側に第２レバーテーパ面４４ｂが設けられている。孔部４５ａの操作方向（図５に示すＸ方向）における大きさは、孔部４５ｂの大きさと同じである。第１レバーテーパ面４４ａと第２レバーテーパ面４４ｂは、それぞれ孔部４５ａ、４５ｂが形成される位置において、一方の面に操作レバー側にいくにつれて肉厚となったテーパ面が形成されている。
【００３２】
図４は、本体プレート２６に操作レバー４０を組み付ける前の状態を示した上視図である。本体プレート２６は樹脂製であり、長方形状を呈する。本体プレート２６は、操作レバー４０を操作時にガイドすると共に操作レバー４０の操作をガタツキなく滑らかな操作が成されるようにするため、操作レバー４０の外形に沿った６箇所のレバーガイド（２８ａ、２８ｂ、２８ｃ、２８ｄ、２８ｅ、２８ｆ）が一体で設けられている。また、操作レバー４０の組み付け後に、操作レバー４０が上下方向において離脱しないように操作レバー４０が設けられる上方に６箇所の突起部（２９ａ、２９ｂ、２９ｃ、２９ｄ、２９ｅ、２９ｆ）がレバーガイドから連続して設けられている。
【００３３】
本体プレート２６には後方の２箇所に幅方向においてオフセットした位置に切り欠きが形成され、切り欠いて形成され一方が本体プレート２６に支持され、所定方向（例えば、これに限定されるものではないが上下方向)に変位可能な第１アーム２６ｂになり、他方が第１自由端７１となる。またこれと同様に、切り欠いて形成され一方が本体プレート２６に支持され、上下方向に変位可能な第２アーム２７ｂとなり、他方が第２自由端７２となる。ここで、第１アーム２６ｂと第２アーム２７ｂは上下方向に変位することから、強度的に強くする必要があり、根元が補強部２６ａ、２７ａとなっていることが好ましい。
【００３４】
なお、ここでいう所定方向とは、本体プレート２６の固定プレート３０への取り付け方向に対して、例えば垂直な方向をいう。
【００３５】
第１自由端７１は先端が長方形状を呈し、先端から幅方向にテーパ面（幅方向において、操作レバー側が傾斜する）を有する第１ロック解除テーパ面２６ｈが設けられていると共に、前後方向に垂直な壁面２６ｅ、２６ｆを有する。また、第１自由端７１は下方の先端に組み付け時に固定プレート側に突出する図８に示す第１突起部２６ｇを有し、前方の先端に図８に示す第１テーパー面２６ｄ（前後方向で前方にいくに従い下方に突出）を有する。図４に示す第１自由端７１は、固定プレート３０への組み付け時に第１アーム２６ｂが上下方向にたわむようになっている。
【００３６】
一方、図５に一点鎖線で示すＣ部の第２自由端７２についても、第１自由端７１と基本的には同様な構造となっている。つまり、第２自由端７２は先端が台形状を呈し、先端から幅方向にテーパ面（幅方向において、操作レバー側が傾斜する）を有する第２ロック解除テーパ面２７ｈが設けられていると共に、図４に示す前後方向に垂直な壁面２７ｅ、２７ｆを有する。また、第２自由端７２下方の先端に組み付け時に固定プレート側に突出する図８に示す第２突起部２７ｇ（第２嵌合部）を有し、前方の先端に図８に示す第２テーパ面２７ｄ（前後方向で前方にいくに従い下方に突出）を有する。第２自由端７２は、固定プレート３０への組み付け時に第２アーム２７ｂが上下方向にたわむようになっている。
【００３７】
図５は、本体プレート２６に対して、操作レバー４０を所定位置に位置決めして、レバーガイド（２８ａ、２８ｂ、２８ｃ、２８ｄ、２８ｅ、２８ｆ）に沿って、組み付けた後の上視図である。本体プレート２６に対する操作レバー４０の組み付けは、操作レバー４０の側面に設けられた図３に示す２箇所の凹部４６ａ、４６ｂを、本体プレート２６のそれぞれの突起部２３ａ、２３ｃに位置決めして、本体プレート２６の上方から、６箇所のレバーガイド（２８ａ、２８ｂ、２８ｃ、２８ｄ、２８ｅ、２８ｆ）により区画された領域に配設する。ここで、操作レバー４０を図５に示すＸ方向に操作力を与えて移動させると、クランク形状を呈する操作レバー４０は全体として幅方向に所定量だけ変位するが、この際、操作レバー４０は上下方向には規制され、突起部（２９ａ、２９ｂ、２９ｃ、２９ｄ、２９ｅ、２９ｆ）によって、上下方向に離脱しない構造となっている。
【００３８】
図８は、固定プレート３０に対して本体プレート２６を組み付ける際の下視図である。
【００３９】
固定プレート３０は、幅方向中央の前方が凹部５０となっており、凹部５０の両端に直線部５２Ｌ、５２Ｒを有する。固定プレート３０は、本体プレート２６を組み付ける側に直線部５３Ｌ、５３Ｒを有する。また、固定プレート３０の幅方向の両端には、幅方向に突出し前後方向に延在するフランジ部３２Ｌ、３２Ｒを有する。
【００４０】
一方、本体プレート２６は、固定プレート３０の幅方向の両側に設けられたフランジ部３２Ｒを前後方向でガイドするガイド部６１Ｒ、６２Ｒ、６３Ｒが離間して設けられている。また同様に、フランジ部３２Ｌを前後方向でガイドするガイド部６１Ｌ、６２Ｌ、６３Ｌが離間して設けられている。固定プレート３０に対して、本体プレート２６の上下方向に形成される凹部空間に対して、後方から組み付けて図1の(ｂ)の状態（操作レバー３０を操作していないロック状態）にすると、本体プレート２６の凹部５０により形成される直線部５２Ｌ、５２Ｒが固定プレート３０に形成される凸部６１の嵌合して本体プレート側の直線部５３Ｌ、５３Ｒとそれぞれ当接する。
【００４１】
次に、固定プレート３０に対し、本体プレート２６の組み付けについて図６を参照して以下に説明する。
【００４２】
図６は、図５のＡ−Ａ断面での固定プレート３０に対する本体プレート２６の組み付けを示す動作説明図である。（ａ）は固定プレート３０に対して本体プレート２６を組み付ける前の状態を示し、（ｂ）は本体プレート２６の組み付け途中の状態を示している。また、（ｃ）は本体プレート２６の組み付けが完了した状態を示す。
【００４３】
固定プレート３０は、本体プレート２６側の下方に突出する第１突起部２６ｇが前後方向に設けられた第１溝部３４Ｌに挿入される。この場合、第１溝部３４Ｌは挿入側に垂直面３３ｂが設けられ、垂直面３３ｂの高さが最も高い頂部３６Ｌと、頂部３６Ｌから徐々に高さが低くなる第１固定ロックテーパ面３７Ｌを有する。図６（ａ）の本体プレート２６の組み付け前では、本体プレート２６の第１突起部２６ｇは、第１溝部３４Ｌの溝部内に突出した状態となるが、固定プレート３０の第１固定ロックテーパ面３７Ｌとは離間しており、第１固定ロックテーパ面３７Ｌによって第１突起部２６ｇを変位させない。この状態から、本体プレート２６を固定プレート３０の後方へと押し込むと、図５（ｂ）に示す状態となる。つまり、本体プレート２６を固定プレート３０に対して挿入する途中段階では、本体プレート２６の第１突起部２６ｇは、第１固定ロックテーパ面３７Ｌにより第１テーパ面２６ｄに当接した状態となり、この当接により第１アーム２６ｂが上方に変位して頂部３６Ｌまで押し上げられる。そして、この状態から更に後方へと本体プレート２６を押し込むと、図６（ｃ）に示す状態となる。図６（ｃ）に示す状態、つまり、固定プレート３０に対して本体プレート２６の組み付けを完了した状態（ロック状態）では、本体プレート２６の第１突起部２６ｇは、頂部３６Ｌを通過した時点で第１突起部２６ｇの下端と第１固定ロックテーパ面３７Ｌの頂部３６Ｌとの当接が解除され、第１アーム２６ｂの樹脂のもつ復元力によって第１突起部２６ｇは下方に変位し、図２に示す固定プレート３０の第１溝部３４Ｌ後方に設けられた第１固定ロックテーパ面３７Ｌを乗り越え、第１突起部２６ｇの垂直面２６ｈと固定プレート３０の壁面３３ｂとが当接して第１固定ロック部３５Ｌに嵌着してロックされた状態となる。
【００４４】
なお、本実施例では、本体プレート２６の第１突起部２６ｇが、固定プレート３０の第１固定ロック部３５Ｌである凹部に嵌合する構造であるが、第１固定ロック部３５Ｌが上方部に突出した突出部を持ち、本体プレート２６が凹部を持ち、嵌着してロックされても良い。
【００４５】
図７は、図６（ａ）〜（ｃ）の状態にそれぞれ対応する図５のＢ−Ｂ断面での動作説明図である。
【００４６】
図７の動作説明の前に、図７により、操作レバー４０による本体部２０のロック解除について説明する。
【００４７】
図７（ａ）に示すように、本体プレート２６は、本体プレート２６から一方で片もち支持された第１アーム２６ｂの第１自由端７１の他端に第１突起部２６ｇが設けられ、第１突起部２６ｇの先端の下方には第１ロック解除テーパ面２６ｈ（図５に示す幅方向において，操作レバー側に図７（ａ）の如くテーパ状となる）を有する。また、第１ロック解除テーパ面２６ｈの対向位置には、第１ロック解除テーパ面２６ｈと同じテーパ角度を有する操作レバー４０の第１レバーテーパ面４４ａが位置するようになっている。この構成で、操作レバー４０を図５に示すＸ方向に押圧して操作することにより、操作レバー４０の押圧操作にあわせ、操作レバー４０に設けられた第１レバーテーパ面４４ａがＸ方向に変位する。第１レバーテーパ面４４ａがＸ方向に変位すると、第１レバーテーパ面４４ａと第１ロック解除テーパ面２６ｈとが当接する。当接した状態から更に操作レバー４０が操作されると、第１アーム２６ｂが上方へと変位して第１レバーテーパ面４４ａにより第１ロック解除テーパ面２６ｈを上方に押し上げ、第１突起部２６ｇの図２に示す第１固定ロック部３５Ｌとの嵌着を解除することができる。このように第１突起部２６ｇの第１固定ロック部３５Ｌにおける嵌着が解除された状態で、本体部２０を前方へと引っ張ると、固定プレート３０の第１突起部２６ｇは第一溝部３４Ｌの前方の開口から抜け出て、固定プレート３０から本体部２０を外すことができる。
【００４８】
上記説明した操作において、第１突起部２６ｇの第１固定ロック部３５Ｌにおける嵌着が解除された状態から操作レバー４０のＸ方向への操作力をなくすと、操作レバー４０は第１アーム２６ｂのもつ復元力によって、第１ロック解除テーパ面２６ｈの面上を第１レバーテーパ面が摺動して操作方向と反対方向（-Ｘ方向）に操作レバー４０が移動することにより、第１アーム２６ｂは復元力により水平状態となり、図７（ｃ）に示す状態に復帰する。
【００４９】
図７（ａ）の固定プレート３０に対する本体プレート２６のへの組み付け前の状態では、便器２に固定された固定プレート３０に対して本体プレート２６を前方から後方へと組み付けるが、この状態では第１アーム２６ｂの第１自由端７１に設けられた第１突出部２６ｇが、図２に示す第１溝部３４Ｌ内で一直線状に移動する。この状態では、片もち支持された第１アーム２６ｂは上方に押し上げられることなく、上下方向に撓まない水平状態となる。
【００５０】
この状態から、本体部２０を後方に操作すると、図７（ｂ）に示す状態となる。図７（ｂ）の状態では、第１突起部２６ｇは図２に示す第１固定ロックテーパ面３７Ｌに達して、第１固定ロックテーパ面３７Ｌの頂部３６Ｌまで第１突起部３４Ｌが第１固定ロックテーパ面３７Ｌのテーパ面に沿って押し上げられる。この状態ではまだロックが成されていない。
【００５１】
そして、更に、本体部２０を後方に操作すると、図７（ｃ）に示す状態となる。図７（ｃ）では、図２に示す第１固定ロックテーパ面３７Ｌの頂部３６Ｌまで第１突起２６ｇが上り、その後テーパ面がなくなることから第１アーム２６ｂの復元力によって第１突起部２６ｇは下方へと変位し後方に位置する第１固定ロック部３５Ｌに嵌着することにより、図１（ｂ）に示す位置にロックされるロック状態となる。
【００５２】
次に、本発明の実施形態における温水洗浄便座装置１の作用（動作）について説明する。
【００５３】
温水洗浄便座装置１の便器２へ取り付けは、便器２の後部の組み付け部１２に対して、専用の取り付けネジを取り付け孔３３Ｌ、３３Ｒに挿入し、固定プレート３０を固定する。その後、図８に示すように固定プレート３０に対して本体プレート２６を組み付けるが、この場合、両側のフランジ部３２Ｌ、３２Ｒがそれぞれ本体プレート２６の凹部空間の両側に設けられたガイド部６１Ｌ、６２Ｌ、６３Ｌ、６１Ｒ、６２Ｒ、６３Ｒにガイドされるように挿入する。
【００５４】
そして、本体プレート２６の凹部空間で下方に突出する第１突起部２６ｇが、固定プレート３０の第１溝部３４Ｌ内を前方から後方にスライドすると、第１突起部２６ｇが第１ロックテーパ面３７Ｌに当接する。この状態では第１突起部２６ｇを支持する第１アーム２６ｂは上方には変位せず水平状態を維持する。さらに本体部２０を後方にスライドさせると、第１固定ロックテーパ面３７Ｌのテーパ面上を第１突起部２６ｇの先端が摺動することによって、次第に第１アーム２６ｂの自由端７１、つまり、第１突起部２６ｇの先端が第１固定ロックテーパ面３７Ｌのテーパ面によって上方に変位する。
【００５５】
この状態から更に、本体部２０を後方にスライドさせると、第１突起部２６ｇが第１固定ロックテーパ面３７Ｌを乗り越えて第１溝部３４Ｌの後方に位置する第１固定ロック部３５Ｌに到達し、この位置で第１突起部２６ｇの上方への変位は頂部３６Ｌ以降解除され、第１アーム２６ｂの復元力により第１突起部２６ｇは下方へと変位してこの位置にて嵌合する。よって、本体プレート２６は、固定プレート３０にロックされるロック状態となる。
【００５６】
このロック状態から、ロック解除する場合には、操作レバー４０をＸ方向に押圧操作すると、図７（ｃ）に示す状態から第１レバーテーパ面４４ａが変位することにより、本体プレート２６に設けられた第１ロック解除テーパ面２６ｈを上方へと押し上げることにより、第１突起部２６ｇの図２に示す第１溝部３４Ｌの後方に設けられた第１固定ロック部３５Ｌとの嵌合が外れ、ロックが解除される。このロック解除状態で、本体プレート２６、つまり、本体部２０を前方に引っ張りスライドさせると、固定プレート３０に対して本体プレート２６を簡単かつ容易に取り外すことができる。上記説明において、図５のＣ部についても同様な構造となっている。
【００５７】
ここでは、第１突起部２６ｇを例に用いて動作説明を行ったが、図５のＣ部に示される第２突起部２７ｇも、上記と同様の動作および同様な効果を奏し、ここでは詳細な説明は割愛する。
【００５８】
この場合、固定プレート３０においては、第１溝部３４Ｌ（第２溝部３４Ｒ）、第１固定ロックテーパ面３７Ｌ（第２固定ロックテーパ面３７Ｒ）、頂部３６Ｌ（頂部３６Ｒ）、第１固定ロック部３５Ｌ（第２固定ロック部３５Ｒ）がそれぞれ対応する。
【００５９】
操作レバー４０においては、第１レバーテーパ面４４ａ（第２レバーテーパ面４４ｂ）が対応する。
【００６０】
また、本体プレート２６においては、第１アーム２６ｂ（第２アーム２７ｂ）、第１突起部２６ｇ（第２突起部２７ｇ）、第１テーパ面２６ｄ（第２テーパ面２７ｄ）、第１ロック解除テーパ面２６ｈ（第２ロック解除テーパ面２７ｈ）、第１自由端７１（第２自由端７２）がそれぞれ対応する。
【００６１】
次に、本発明の効果について説明する。
【００６２】
本発明の温水洗浄便座装置１では、本体プレート２６に設けられた第１アーム２６ｂの自由端７１には固定プレート３０側に第１突起部２６ｇがあり、本体部２０を固定プレート３０に組み付ける場合に、固定プレート３０の第１固定ロックテーパ面３７Ｌによって第１突起部２６ｇを上方へと変位させ、第１固定ロックテーパ面３７Ｌの頂部３６Ｌを乗り越えた第１固定ロック部３５Ｌの位置で、固定プレート３０に対する本体部２０をロックすることができる。これは本体プレート２６と固定プレート３０の内部形状を工夫することでロック/アンロック機構を設けることができるので、従来のようなスプリングは不要となり部品点数を増加させることはない。また、これは簡易な構成で実現でき、組み付けも容易となる。
【００６３】
また、第１アーム２６ｂは本体プレート２６に対して一対且つ一体的に形成されるため、本体部２０と固定プレート３０とのロック時の固定は、アーム一対であるため固定プレートに対する本体プレートの傾きやガタツキを抑制することができる。
【００６４】
また、操作レバー４０は、第１固定ロック部３５Ｌに対応する位置に少なくとも一カ所形成された第１レバーテーパ面４４ａを有し、操作レバー４０の離脱操作によって、第１レバーテーパ面４４ａにて第１固定ロック部３５Ｌを上方へと変位させることによりロック解除を行うため、使用者が操作レバー４０を押圧するだけでロック解除ができ、操作が容易である。
【００６５】
また、第１突起部２６ｇは、第１レバーテーパ面４４ａの対向して設けられ、操作レバー４０の離脱操作時に第１突起部２６ｇを上方へと変位させてロック解除する第１レバーテーパ面４４ａを有するため、本体部２０のロック解除操作が容易であり、ロック解除のための追加部品も不要で、部分点数も削減できる。
【００６６】
また、本体部２０の第１突起部２６ｇは着座面に対して前後方向に第１テーパ面２６ｄを有すると共に、第１テーパ面２６ｄに隣接して第１ロック解除テーパ面２６ｈを有するため、本体部の突起部の形状を工夫するだけで、本体部のアームがたわんでロック／アンロックを行うことができる。
【００６７】
また、操作レバー４０は、操作方向に延在する第１直線部４２ａ、第２直線部４２ｂおよび第３直線部４２ｃとを有し、第２直線部４２ｂと前記第３直線部４２ｃの終端に第１レバーテーパ面４４ａを有するため、固定プレート３０と本体部２０の本体プレート２６が、操作レバー４０の操作方向およびその直角方向が異なる２箇所で支持されてロックされるため、ガタツキの無い安定したロックができる。
【符号の説明】
【００６８】
１  温水洗浄便座装置
２０  本体部
２１  人体局部洗浄機構
２２  本体カバー
２３  便座
２６  本体プレート
２６ｂ  第１アーム
２６ｄ  第１テーパ面
２６ｇ  第１突起部（嵌合部、第１嵌合部）
２６ｈ  第１ロック解除テーパ面
２７ｂ  第２アーム
２７ｄ  第２テーパ面
２７ｇ  第２突起部（嵌合部、第２嵌合部）
２７ｈ  第２ロック解除テーパ面
３０  固定プレート
３５Ｌ  第１固定ロック部
３５Ｒ  第２固定ロック部
３７Ｌ  第１固定ロックテーパ面
３７Ｒ  第２固定ロックテーパ面
４０  操作レバー
４２ａ  第１直線部
４２ｂ  第２直線部
４２ｃ  第３直線部
４４ａ  第１レバーテーパ面
４４ｂ  第２レバーテーパ面
【図１】
2013202175.tif 000003
【図２】
2013202175.tif 000004
【図３】
2013202175.tif 000005
【図４】
2013202175.tif 000006
【図５】
2013202175.tif 000007
【図６】
2013202175.tif 000008
【図７】
2013202175.tif 000009
【図８】
2013202175.tif 000010